(57)【要約】【課題】装入した被乾燥物が装入口からこぼれ出ることを抑制するためのロータリードライヤのシール装置を提供する。【解決手段】装入口１２に取り付けられた回転側部材３１と、地上に対して固定された固定側部材３２とを備え、回転側部材３１は、その内周面がロータリードライヤ１の内部から外部に向かって狭まる截頭円錐面３１ａであり、固定側部材３２は截頭円錐面３１ａに接するように設けられている。回転側部材３１と固定側部材３２とで装入口１２の開口を狭くするので、被乾燥物Ｘがこぼれ出ることを抑制できる。被乾燥物Ｘが截頭円錐面３１ａの傾斜によりロータリードライヤ１の内部に戻される。被乾燥物Ｘが固定側部材３２を回転側部材３１に押し付け、固定側部材３２と回転側部材３１との間に隙間が生じないようになる。【選択図】図１
2013044467.tif 000002
【特許請求の範囲】
【請求項１】
ロータリードライヤの装入口に取り付けられた回転側部材と、
地上に対して固定された固定側部材とを備え、
前記回転側部材は、その内周面が前記ロータリードライヤの内部から外部に向かって狭まる截頭円錐面であり、
前記固定側部材は、環状の帯であって、前記截頭円錐面に接するように設けられている
ことを特徴とするロータリードライヤのシール装置。
【請求項２】
コンベア中屋根に覆われたコンベアにより被乾燥物が装入されるロータリードライヤのシール装置であって、
前記固定側部材は、前記コンベア中屋根に取り付けられている
ことを特徴とする請求項１記載のロータリードライヤのシール装置。
【請求項３】
前記回転側部材は、
底面側の径が前記装入口の径と略同一寸法である前記截頭円錐面を有する褶動板と、
該褶動板の外周面に設けられ、前記ロータリードライヤの鏡板に取り付けられる取付板とからなる
ことを特徴とする請求項１または２記載のロータリードライヤのシール装置。
【請求項４】
前記回転側部材は、ステンレス鋼で形成されている
ことを特徴とする請求項１、２または３記載のロータリードライヤのシール装置。
【発明の詳細な説明】
【技術分野】
【０００１】
本発明は、ロータリードライヤのシール装置に関する。さらに詳しくは、精鉱などの被乾燥物をロータリードライヤに装入した際に、装入した被乾燥物が装入口からこぼれ出ることを抑制するためのロータリードライヤのシール装置に関する。
【背景技術】
【０００２】
一般に、銅精鉱には水分が１０重量％程度含まれているため、銅精鉱をロータリードライヤで乾燥させて水分１重量％以下の乾燥精鉱とした後に、この乾燥精鉱を用いて熔錬が行われる。
【０００３】
図９に示すように、ロータリードライヤ101の回転胴部110に精鉱などの被乾燥物Ｘを一定量以上装入すると、回転胴部110の内部に装入された被乾燥物Ｘが、装入口112から外部にこぼれ出たり、吹き出したり、発塵が発生したりする。このように装入口112からこぼれ出た被乾燥物Ｘを収集するために、装入口112の下方には漏れ鉱コンテナ（図示せず）が設けられている。
しかし、稼働率を上げるために回転胴部110に装入する被乾燥物Ｘの量を多くすると、装入口112からこぼれ出る被乾燥物Ｘの量が多くなり、漏れ鉱コンテナの入替え作業が頻繁になり、作業効率が悪化するという問題がある。また、装入口112の周囲へ被乾燥物Ｘが飛散し、環境が悪化するという問題がある。
【０００４】
一方、ロータリードライヤの装入口にシール装置を取り付ける技術が知られている（例えば特許文献１）。
しかし、従来のシール装置は、ロータリードライヤの回転胴部の内部に外気が侵入することを防止するためなど、回転胴部を気密にすることを目的としており、被乾燥物が装入口からこぼれ出ることを抑制するシール装置は存在しなかった。
【先行技術文献】
【特許文献】
【０００５】
【特許文献１】特開２００４−０５３２１７号公報
【発明の概要】
【発明が解決しようとする課題】
【０００６】
本発明は上記事情に鑑み、装入した被乾燥物が装入口からこぼれ出ることを抑制するためのロータリードライヤのシール装置を提供することを目的とする。
【課題を解決するための手段】
【０００７】
第１発明のロータリードライヤのシール装置は、ロータリードライヤの装入口に取り付けられた回転側部材と、地上に対して固定された固定側部材とを備え、前記回転側部材は、その内周面が前記ロータリードライヤの内部から外部に向かって狭まる截頭円錐面であり、前記固定側部材は、環状の帯であって、前記截頭円錐面に接するように設けられていることを特徴とする。
第２発明のロータリードライヤのシール装置は、第１発明において、コンベア中屋根に覆われたコンベアにより被乾燥物が装入されるロータリードライヤのシール装置であって、前記固定側部材は、前記コンベア中屋根に取り付けられていることを特徴とする。
第３発明のロータリードライヤのシール装置は、第１または第２発明において、前記回転側部材は、底面側の径が前記装入口の径と略同一寸法である前記截頭円錐面を有する褶動板と、該褶動板の外周面に設けられ、前記ロータリードライヤの鏡板に取り付けられる取付板とからなることを特徴とする。
第４発明のロータリードライヤのシール装置は、第１、第２または第３発明において、前記回転側部材は、ステンレス鋼で形成されていることを特徴とする。
【発明の効果】
【０００８】
第１発明によれば、回転側部材と固定側部材とで装入口の開口を狭くするので、装入した被乾燥物が装入口からこぼれ出ることを抑制できる。また、回転側部材の内周面はロータリードライヤの内部から外部に向かって狭まる截頭円錐面であるので、装入口からこぼれ出ようとする被乾燥物が截頭円錐面の傾斜によりロータリードライヤの内部に戻される。そのため、装入した被乾燥物が装入口からこぼれ出ることを抑制できる。さらに、固定側部材が截頭円錐面に接するように設けられているので、装入口からこぼれ出ようとする被乾燥物が固定側部材を回転側部材に押し付け、固定側部材と回転側部材との間に隙間が生じないようになる。そのため、被乾燥物が固定側部材と回転側部材との隙間からこぼれ出ることを防止できる。
第２発明によれば、固定側部材がコンベア中屋根に取り付けられているので、固定側部材と回転側部材とで装入口とコンベア中屋根との間の隙間を塞ぎ、装入した被乾燥物が装入口からこぼれ出ることを抑制できる。
第３発明によれば、褶動板を装入口に挿入し、取付板を鏡板に取り付ければ、回転側部材をロータリードライヤに取り付けることができるので、施工が容易である。
第４発明によれば、回転側部材はステンレス鋼で形成されているので、銅精鉱のような腐食性を有する被乾燥物が装入されても、回転側部材の腐食摩耗が起きにくい。
【図面の簡単な説明】
【０００９】
【図１】本発明の一実施形態に係るシール装置および装入口付近の側面視断面図である。
【図２】図１におけるII-II線矢視図である。
【図３】図１におけるIII-III線矢視図である。
【図４】本発明の一実施形態に係るシール装置の側面視部分拡大断面図である。
【図５】他の実施形態に係るシール装置および装入口付近の正面図である。
【図６】さらに他の実施形態に係るシール装置および装入口付近の正面図である。
【図７】ロータリードライヤの側面視断面図である。
【図８】図７におけるVIII-VIII線矢視図である。
【図９】従来のロータリードライヤの説明図であって、（ａ）は側面視断面図、（ｂ）は正面図である。
【発明を実施するための形態】
【００１０】
つぎに、本発明の実施形態を図面に基づき説明する。
まず、ロータリードライヤについて説明する。
図７に示すように、ロータリードライヤ１は、円筒形の回転胴部１０を有しており、その上流側端部の鏡板１１に、精鉱などの被乾燥物Ｘを装入するための装入口１２が開けられている。装入口１２にはコンベア２が挿入されており、そのコンベア２により被乾燥物Ｘが搬送され、装入口１２を通り、回転胴部１０の内部に装入されるようになっている。
【００１１】
回転胴部１０はその中心軸周りに回転するため、装入された被乾燥物Ｘは回転胴部１０の側壁との摩擦により側壁に沿って回転方向に上昇し、ある程度の高さまで上昇した後に重力により落下する。これにより被乾燥物Ｘが攪拌されるとともに乾燥されていく。
ここで、回転胴部１０の側壁から落下する被乾燥物Ｘが、回転胴部１０の内部に装入されたコンベア２に降り注ぐと、コンベアベルトの裏面に被乾燥物Ｘが積載される等して不具合の原因となる。そのため、回転胴部１０の内部にはコンベア中屋根２１が設けられている。
【００１２】
図７および図８に示すように、コンベア中屋根２１は、コンベア２を囲むように横置きされた円筒形の部材であり、コンベア２の下方に切り込み２１ａが形成されて正面視円弧状となっている。また、コンベア中屋根２１は、その装入口１２側の端部が回転胴部１０の外側に立設されたコンベア架台（図示せず）に取り付けられており、地上に対して固定されている。そのため、回転胴部１０の回転に干渉しないように、コンベア中屋根２１の直径は装入口１２の直径より小さくなっている。
【００１３】
このコンベア中屋根２１により、回転胴部１０の側壁から落下する被乾燥物Ｘがコンベア２に降り注がれることを防止できる。また、コンベア２により搬送された被乾燥物Ｘは、コンベア中屋根２１に形成された切り込み２１ａから落下して回転胴部１０の内部に装入される。
【００１４】
本発明の一実施形態に係るシール装置３は、上記のようなロータリードライヤ１に取り付けられる。
なお、ロータリードライヤ１は、ロータリースチームドライヤや、乾燥用ロータリーキルン等、回転式の乾燥機を意味する。
【００１５】
図１、図２および図３に示すように、シール装置３は、ロータリードライヤ１の装入口１２に取り付けられた回転側部材３１と、コンベア中屋根２１の装入口１２側端部に取り付けられた固定側部材３２とからなる。回転側部材３１は回転胴部１０とともに回転し、固定側部材３２は地上に対して固定されている。
【００１６】
回転側部材３１は、全体として環状の部材であり、褶動板３１ａと、取付板３１ｂとからなる。褶動板３１ａは、その内周面が回転胴部１０の内部から外部（図１における左側から右側）に向かって狭まる截頭円錐面となっており、その底面側の径が装入口１２の径と略同一寸法となっている。また、取付板３１ｂは、褶動板３１ａの外周に設けられ鏡板１１に対して並行な環状の板となっている。
【００１７】
この回転側部材３１は、褶動板３１ａの底面側（図１における左側）を装入口１２に装入し、鏡板１１に当接する取付板３１ｂをボルトナットで固定することにより、装入口１２に取り付けられる。このように、取付板３１ｂを鏡板１１に取り付けるだけであるので施工が容易である。
【００１８】
装入口１２に取り付けられた回転側部材３１は、褶動板３１ａの底面側の円周が装入口１２の縁に接触するようになっている。また、褶動板３１ａの截頭側（図１における右側）の円周は、コンベア中屋根２１や、後述のコンベア架台２２に接触せず、回転胴部１０の回転の妨げとならないようになっている。
【００１９】
回転胴部１０の外側には、一対の柱２２ａ，２２ａと、その一対の柱２２ａ，２２ａの上端同士に掛け渡された梁２２ｂとからなるコンベア架台２２が立設されている。そして、コンベア中屋根２１は中屋根連結部材２３を介して梁２２ｂに固定され、側部中屋根連結部材２４，２４を介して柱２２ａ，２２ａに固定されている。そのため、コンベア中屋根２１は地上に対して固定されている。
【００２０】
固定側部材３２は弾性を有する環状の帯であって、上記コンベア中屋根２１の装入口１２側端部に取り付けられている。
より詳細には、コンベア中屋根２１の装入口１２側端部には、内側取付リング３２ａが固定されている。そして、固定側部材３２は、その内周縁が内側取付リング３２ａと外側取付リング３２ｂで挟まれて、ボルトナットで固定されている。ここで、内側取付リング３２ａおよび外側取付リング３２ｂは、固定側部材３２の内径と同じ径を有する環状の部材である。
【００２１】
固定側部材３２の内径は褶動板３１ａの截頭側の径よりも小さい径を有しており、固定側部材３２の外径は褶動板３１ａの截頭側の径よりも大きく、褶動板３１ａの底面側の径よりも小さい径を有している。そして、内側取付リング３２ａおよび外側取付リング３２ｂは、側面視において褶動板３１ａの截頭側に位置している。そのため、固定側部材３２は、回転胴部１０の内部から褶動板３１ａに接するように設けられており、その弾性によって、外周付近が褶動板３１ａに沿うように湾曲している。
【００２２】
以上のような構成であるから、回転側部材３１と固定側部材３２とで装入口１２の開口を狭くし、しかも、装入口１２とコンベア中屋根２１との間の隙間を塞ぐので、装入した被乾燥物が装入口１２からこぼれ出ることを抑制できる。
そのため、回転胴部１０に装入する被乾燥物の量を多くしても、装入口１２からこぼれ出る被乾燥物の量が少なくなり、漏れ鉱コンテナの入替え頻度が低下し、作業効率が向上する。また、装入口１２の周囲への被乾燥物の飛散が減少し、環境の悪化が抑制される。  
【００２３】
また、図４に示すように、褶動板３１ａは回転胴部１０の内部から外部に向かって狭まる截頭円錐面を有するので、装入口１２からこぼれ出ようとする被乾燥物Ｘが褶動板３１ａの傾斜により回転胴部１０の内部に戻される。そのため、装入した被乾燥物Ｘが装入口１２からこぼれ出ることを抑制できる。
【００２４】
さらに、弾性を有する固定側部材３２が回転胴部１０の内部から褶動板３１ａに接するように設けられているので、装入口１２からこぼれ出ようとする被乾燥物Ｘが固定側部材３２を褶動板３１ａに押し付け、固定側部材３２と褶動板３１ａとの間に隙間が生じないようになる。そのため、被乾燥物Ｘが固定側部材３２と褶動板３１ａとの隙間からこぼれ出ることを防止できる。
【００２５】
なお、銅精鉱のような腐食性を有する被乾燥物が装入される場合、回転側部材３１はステンレス鋼で形成されることが好ましい。回転側部材３１をステンレス鋼で形成すれば、腐食性を有する被乾燥物が装入されても、回転側部材３１の腐食摩耗が起きにくいからである。
また、固定側部材３２は、ゴムなどの弾性を有する材質で形成されることが好ましい。
【００２６】
（その他の実施形態）
上記実施形態では、固定側部材３２を装入口１２の全周に設けたが、これを装入口１２の一部のみに設けてもよい。
例えば、図５に示すように、環状扇型の固定側部材３２を装入口１２の半周のみに設けてもよい。このように、特許請求の範囲に記載の環状とは、環状扇型も含む概念である。
この場合、回転胴部１０の側壁から落下する被乾燥物が装入口１２からこぼれ出ることを抑制するために、固定側部材３２は、装入口１２の下方から回転方向（図５における矢印方向）に偏った位置、換言すれば図５における右下から左下を通り左上にかける位置に設けることが好ましい。
【００２７】
ただし、固定側部材３２を環状扇型とした場合、回転側部材３１とコンベア中屋根２１との間に隙間Ｓが生じ、この隙間Ｓから被乾燥物がこぼれ出る可能性がある。そのため、固定側部材３２は装入口１２の全周に設けたほうが好ましい。
【００２８】
また、図６に示すように、コンベア２の下方のコンベア中屋根２１の内側に、半月形の封止板３３を設けてもよい。封止板３３はコンベア中屋根２１に固定され、地上に対して固定されている。
この封止板３３を設けることにより、コンベア２の下方から被乾燥物がこぼれ出ることをより抑制することができる。
【符号の説明】
【００２９】
１      ロータリードライヤ
１０    回転胴部
１１    鏡板
１２    装入口
２      コンベア
２１    コンベア中屋根
２２    コンベア架台
３      シール装置
３１    回転側部材
３１ａ  褶動板
３１ｂ  取付板
３２    固定側部材
３２ａ  内側取付リング
３２ｂ  外側取付リング
【図１】
2013044467.tif 000003
【図２】
2013044467.tif 000004
【図３】
2013044467.tif 000005
【図４】
2013044467.tif 000006
【図５】
2013044467.tif 000007
【図６】
2013044467.tif 000008
【図７】
2013044467.tif 000009
【図８】
2013044467.tif 000010
【図９】
2013044467.tif 000011